(57)【要約】【課題】  ＡＶサーバにおいて、ユーザごとにコンテンツアクセス制御を行う。【解決手段】  リモコン１０は指紋認証部１２を有しており、ユーザを判別することができる。ＡＶサーバ２０のコンテンツデータベース２５には、複数のＡＶコンテンツが格納されており、コンテンツ付属情報データベース２６には、各コンテンツごとに各ユーザに対して設定されているアクセス権を記憶したアクセスルールテーブルが格納されている。ＣＰＵ２２は、ユーザからコンテンツに対するアクセスがあったときにアクセスルールテーブルに設定されているアクセス権に基づいてそのユーザからの要求に対する制御を行う。コンテンツデータベース２５にコンテンツを記録するときは、各ユーザごとに他のユーザに対して与えるアクセス権を設定したデフォルトルールテーブルの内容に従って、そのコンテンツに対するアクセス権を設定する。【選択図】  図１
2005222112.tif 000002
【特許請求の範囲】
【請求項１】
ユーザ識別機能を有する制御部と、
複数のコンテンツを格納する記憶装置と、
該記憶装置に格納された個々のコンテンツごとに各ユーザのアクセス権を記憶したアクセスルールテーブルとを備え、
前記制御部から前記コンテンツに対するアクセス要求があったときに、前記アクセスルールテーブルを参照して、そのコンテンツについてそのユーザに与えられているアクセス権に対応した処理を行うようになされていることを特徴とする記録再生装置。
【請求項２】
ユーザごとにそのユーザが所有権を有するコンテンツについて他のユーザに与えるアクセス権のデフォルト値を記憶したデフォルトルールテーブルを備え、
前記記憶装置にコンテンツを格納するときに、前記デフォルトルールテーブルを参照して、前記アクセスルールテーブルのそのコンテンツに対する各ユーザのアクセス権を設定するようになされていることを特徴とする請求項１記載の記録再生装置。
【請求項３】
前記制御部を用いて、そのユーザに関する前記デフォルトルールテーブルの設定内容及びそのユーザが所有権を有するコンテンツについての前記アクセスルールテーブルの設定内容を変更することができるようになされていることを特徴とする請求項１又は２に記載の記録再生装置。
【発明の詳細な説明】
【技術分野】
【０００１】
本発明は、ハードディスク装置などの大容量記憶装置にＡＶ（オーディオビジュアル）コンテンツを記録し、再生する記録再生装置に関する。
【背景技術】
【０００２】
コンピュータの分野では、ユーザを識別することによってファイルに対するアクセスを制御するユーザ認証やファイルアクセス権の設定は一般的に行われている。
ＡＶ機器においても、アクセス制限を行うような機能は存在しており、例えば、ＤＶＤプレーヤでは、再生可能パレンタルレベルを機器に設定し、それ以上のパレンタルレベルを持つコンテンツは再生できないように制御するものが知られている。
【０００３】
また、テレビジョン受像機、ＣＤプレーヤ、ＤＶＤプレーヤ、オーディオ再生装置などの各種ＡＶ（Audio Visual）機器を制御するリモートコントロール装置に指紋認証機能を持たせてユーザを判別することができるようにし、個々のユーザに対応した制御を行うことができるようにすることが提案されている。
【特許文献１】特開２００１−１２８２５３号公報
【発明の開示】
【発明が解決しようとする課題】
【０００４】
近年、ＣＤなどからリッピングした楽曲データをハードディスク装置などに記憶しておき、記憶しているデータを任意に再生することができるオーディオ再生装置（オーディオサーバ）が知られている。また、楽曲データに限らず、映像データも同様にハードディスク装置に格納しておくことも行われるようになりつつある。
このような記録再生装置（ＡＶサーバ）は、家庭などで用いられるときには、複数のユーザにより使用されるものであり、ハードディスク装置に格納されているコンテンツを所有するユーザは、他のユーザがそのコンテンツにアクセスするのを制限したいという要望がある。
【０００５】
上述のように、コンピュータ分野ではユーザ認証やファイルに対するアクセス権の設定は一般的に行われているが、コンピュータ分野で使われるユーザ認証はパスワード方式のもので、キーボードを使用しないＡＶ機器にそのまま持ち込むのは無理がある。
また、ＡＶ機器で用いられている機器に対して行うアクセス制限は、特定の機器を特定のユーザのみが使用する場合には有効であるが、ＡＶサーバのような１つの機器を複数のユーザが使用するような場合には適用することができない。
【０００６】
そこで本発明は、複数のユーザが使用する記録再生装置において、ユーザ別のコンテンツアクセス制御を行うことができるようにすることを提供することを目的としている。
【課題を解決するための手段】
【０００７】
上記目的を達成するために、本発明の記録再生装置は、ユーザ識別機能を有する制御部と、複数のコンテンツを格納する記憶装置と、該記憶装置に格納された個々のコンテンツごとに各ユーザのアクセス権を記憶したアクセスルールテーブルとを備え、前記制御部から前記コンテンツに対するアクセス要求があったときに、前記アクセスルールテーブルを参照して、そのコンテンツについてそのユーザに与えられているアクセス権に対応した処理を行うようになされているものである。
また、ユーザごとにそのユーザが所有権を有するコンテンツについて他のユーザに与えるアクセス権のデフォルト値を記憶したデフォルトルールテーブルを備え、前記記憶装置にコンテンツを格納するときに、前記デフォルトルールテーブルを参照して、前記アクセスルールテーブルのそのコンテンツに対する各ユーザのアクセス権を設定するようになされているものである。
さらに、前記制御部を用いて、そのユーザに関する前記デフォルトルールテーブルの設定内容及びそのユーザが所有権を有するコンテンツについての前記アクセスルールテーブルの設定内容を変更することができるようになされているものである。
【発明の効果】
【０００８】
本発明の記録再生装置によれば、複数のユーザが使用する装置において、ユーザ別のアクセス制御を実現することができる。
また、パスワード方式のユーザ認証が現実的でない記録再生装置にもユーザ認証やアクセス権の設定を適用することが可能となる。
【発明を実施するための最良の形態】
【０００９】
図１は、本発明の記録再生装置の一実施の形態の要部構成を示すブロック図である。この実施の形態の記録再生装置は、制御部であるリモートコントロール装置（リモコン）１０と、記録再生装置本体（ＡＶサーバ）２０とから構成されている。
図１の（ａ）に示すように、リモコン１０は、ユーザにより操作される操作ボタン部１１、ユーザの指紋データを取得する指紋認証部１２、前記操作ボタン部１１及び前記指紋認証部１２からの信号が入力されるとともにリモコン１０全体の制御を行うＣＰＵ１３、前記ＣＰＵ１３の制御に基づきＡＶサーバ２０に対して赤外線信号を出力する発光部１４を有している。このリモコン１０はＡＶ機器における通常のリモコンに指紋認証部１２を設けたものであるということもできる。
【００１０】
図１の（ｂ）に示すＡＶサーバ２０において、２１は前記リモコン１０からの赤外線信号を受光する受光部、２２は、該受光部２１からの信号が入力されるとともに、ＡＶサーバ２０全体の制御を行うＣＰＵ、２３は前記ＣＰＵ２２の制御により選択されたコンテンツであるＡＶ信号や、ＯＳＤ（オンスクリーンディスプレイ）機能により各種設定画面などをテレビ画面やプロジェクタに出力するＡＶ出力部である。また、ＡＶサーバ２０には、ハードディスク装置のようなストレージ（大容量記憶装置）が設けられており、ユーザを認証するためのユーザ認証データ（登録されているユーザの指紋認証データ）やその他ユーザに関連する情報を格納するユーザ情報データベース２４、ＡＶコンテンツを格納するコンテンツデータベース２５、及び、各コンテンツに対するユーザごとのアクセス権の情報を記憶したコンテンツ付属情報データベース２６などが設けられている。
さらに、図示していないが、ＡＶサーバ２０には、ＣＤドライブ装置、ＤＶＤドライブ装置、及び、インターネットなどに接続するネットワークインターフェース回路などが設けられており、ユーザが前記リモコン１０を操作することにより、前記ＣＤドライブ装置などを用いて音楽ＣＤの楽曲をリッピングして前記コンテンツデータベースに格納したり、ネットワークインターフェース回路を介してインターネット上のＡＶサーバから映像データや音楽データなどのＡＶデータをダウンロードして前記コンテンツデータベースに格納したりすることができるようになされている。
【００１１】
このように構成された本発明の記録再生装置において、前記コンテンツデータベース２５に格納されているＡＶコンテンツデータには、それぞれアクセス権を設定することができるようになされている。このアクセス権は個々のコンテンツごとに、そのコンテンツの所有権を有するユーザ（オーナー）名、他のユーザそれぞれに許可しているアクセスの種類を記述したアクセスルールテーブルとして記録されており、このアクセスルールテーブルは、前記コンテンツ付属情報データベース２６内に記録されている。
ここで、この実施の形態において、各ユーザに設定されるアクセス権には、「１．アクセス権なし」、「２．参照と再生のみ可能」、及び、「３．すべてのアクセス（再生／参照／編集／削除）が可能」、の３種類が存在するものとする。なお、アクセス権の種類としては、この３種類に限られることはなく、「アクセス権あり」と「全てのアクセスが可能」の２種類としたり、前記すべてのアクセスが可能の内容をさらに分割して４種類のアクセス権としてもよい。
【００１２】
ユーザがコンテンツを録音又は録画して前記コンテンツデータベース２５に新規にコンテンツを格納するとき、そのユーザはそのコンテンツのオーナーとなる。オーナーは、自己の所有するコンテンツに対するアクセス権を完全に制御することができる。
本発明においては、各ユーザが、自分がオーナーであるコンテンツについて他のユーザに与えるアクセス権に関するデフォルトルールの情報を前記ＡＶサーバ２０内に記憶保持するようにしている。このデフォルトルールの情報は、例えば、前記ユーザ情報データベース２４などに格納されている。そして、ユーザがＡＶコンテンツを前記コンテンツデータベース２５に記録するときに、そのコンテンツに対する他ユーザのアクセス権をデフォルトルールに基づいて設定するようにしている。
【００１３】
図２は、前記各ユーザのデフォルトルールを一覧表の形式で示したデフォルトルールテーブルの一例を示す図である。
この図に示した例では、Ａ，Ｂ，Ｃの３名の登録ユーザとゲストユーザがいる。ゲストユーザは特殊なユーザで削除することができず、初期状態から存在するユーザである。後述するように、ユーザ認証が済んでいないユーザはゲストユーザとして取り扱われる。
図２の例では、ユーザＡは、自分がオーナーであるコンテンツについて、ユーザＢ，Ｃ及びゲストのいずれのユーザに対しても、「１」（アクセス権なし）に設定している。また、ユーザＢは、ユーザＡとＣに対して「２」（参照と再生のみ可能）、ゲストに対して「１」に設定しており、ユーザＣは、Ａとゲストに対して「２」、Ｂに対して「３」（すべてのアクセスが可能）に設定している。各ユーザ（ゲストユーザを除く）は、自己のデフォルトルールを任意に変更することができる。なお、ゲストユーザは、全ての他のユーザに対して「３」（すべてのアクセスが可能）に設定されており、これは変更することができない。
【００１４】
図３は、各コンテンツについてのアクセスルールを記録したアクセスルールテーブルの一例を示す図である。この図に示すように、アクセスルールテーブルは、コンテンツごとに、オーナー名、及び、各ユーザに許されているアクセス権を記録したものである。各コンテンツのオーナーは、アクセスルールテーブルの内容を任意に変更することができる。
前述のように、コンテンツを前記コンテンツデータベース２５に格納したときに、アクセスルールテーブルに前記デフォルトルールに従ってそのコンテンツのエントリが作成される。この図に示した例では、コンテンツ１、コンテンツ２、コンテンツ３及びコンテンツ６については、前記図２のデフォルトルールテーブルに設定されている情報と同一内容のアクセスルールが設定されている。コンテンツ４及びコンテンツ５については、その後にオーナーにより設定内容が変更されたことがわかる。
なお、前記デフォルトルール及びこのアクセスルールの設定の変更は、後述するように、前記リモコン１０を用いてＯＳＤにより行うことができる。但し、オーナーがゲストユーザであるコンテンツのアクセスルールは、他の全てのユーザに対して「３」に設定されており、これは変更することができない。
【００１５】
このように、本発明の記録再生装置においては、指紋認識などによる個人認証機能を備えたリモコンを用いてユーザを識別し、ユーザが録音／録画したコンテンツをそのユーザが定めたルール（特定のユーザのみ利用可能／誰でも利用可能など）に従って、アクセス制御を行うことができる。
【００１６】
次に、このように構成された記録再生装置の動作について、図４のフローチャートを参照して説明する。
動作が開始されたとき、初期状態としてユーザをゲストユーザに設定する（ステップＳ１）。そして、ユーザの認証（ログイン）が行われるのを待つ（ステップＳ２）。
ユーザの認証はＡＶサーバ２０のＯＳＤ機能が特定の認証画面を出力している状態で、ユーザが指紋認証部１２に指を当てることにより行われる。これにより、指紋認証部１２でユーザの指紋データが取得され、その認証データ（特徴データ）がリモコン１０からＡＶサーバ２０に送られ、ＡＶサーバ２０のユーザ情報データベース２４に保持されているユーザ認証データとの比較が行われる。そして、一致するデータがあれば、ユーザのログインが完了し（ステップＳ４がＹＥＳ）、一致するデータがないときは、ログインを拒否される（Ｓ４がＮＯ）。
ログインが完了していない状態（ステップＳ２がＮＯ）での操作は、ゲストユーザによるものとして扱われる（ステップＳ３）。ステップＳ３では、ゲストユーザとして、ＡＶ信号の前記コンテンツデータベース２５への録音又は録画、前記コンテンツデータベース２５に格納されているコンテンツの参照（一覧表示）、コンテンツの再生などを行うことができる。
【００１７】
認証結果がＯＫのとき（ステップＳ４がＹＥＳ）は、操作しているユーザを認証されたユーザに設定し（ステップＳ５）、ログアウト指示が受信されるまで、該認証された特定のユーザとして動作を行う（ステップＳ６，Ｓ７）。なお、一度ログインを行うと、ログアウト処理を行うか、ＡＶサーバの電源がオフされるまで有効である。
このステップＳ７においては、認証されたユーザとして、コンテンツの録音／録画、コンテンツの参照、再生などを行うことができる。
ユーザが前記リモコン１０を用いて録音／録画操作を行うと、そのときに作成されたコンテンツのアクセスルールが、アクセスルールテーブルに追加される。オーナーはその操作を行ったユーザであり、アクセスルールはそのユーザのデフォルトルールである。オーナーは録音／録画後に、そのコンテンツのアクセスルールを変更することができる。また、オーナーは他のユーザにオーナーを譲ることも可能である。その場合、そのコンテンツのアクセスルールは、新オーナーのデフォルトルールに変更される。
また、あるユーザがコンテンツを参照する場合、アクセス権を有していないコンテンツはＯＳＤに表示されない。また、参照／再生の権利のみを有する場合は、表示されているコンテンツを再生することはできても、編集（名前の変更、コンテンツの分割や結合、変更などを含んでもよい）や削除を行うことはできない。
【００１８】
さらに、前記ステップＳ７で、前記デフォルトルールやアクセスルールテーブルなどの各種設定の変更処理なども行うことができる。
ユーザ（ゲストユーザを除く）が、メニューからデフォルトルール変更や自分のコンテンツのアクセスルール変更を選択すると、図５のような画面がＯＳＤにより表示される。
この図は、ユーザＡ，Ｂ，Ｃ，Ｄとゲストが登録されているＡＶサーバ２０で、ユーザＣがデフォルトルールの変更を行っているときの様子を示している。このように、自分を除く全ユーザがリストアップされ、それぞれのユーザに対応するアクセス権が表示される。ユーザは、前記リモコン１０の操作ボタン１１に設けられている上下のカーソルキーを操作することにより、変更対象を指定する枠３１を上下させて変更したいアクセス権を選択し、左右のカーソルキーによりその内容を変更する。そして、ルールの変更が終わったら「更新」ボタンを押すなどの操作を行って、デフォルトルールテーブルを更新する。
また、前記アクセスルールテーブルの内容を変更する場合も、同様に行うことができる。すなわち、前記コンテンツデータベース２５に格納されているコンテンツのうちの自己がオーナーとなっているコンテンツを選択して、そのアクセスルールを表示させると、図５と同様の表示画面が表示される。ただし、この場合には、そのコンテンツの名称も画面上に表示される。この画面を使用して、前述と同様に、そのコンテンツに対する各ユーザのアクセス権の設定を変更することができる。
このように、本発明によれば、キーボードが接続されていないＡＶサーバ２０においては、個人認証を行うとともにコンテンツに対するアクセス権の設定を行うことができる。
【００１９】
次に、ユーザが新たに登録されたときに実行される処理について説明する。
ユーザの登録は下記の手順で行われる。
（ア）ユーザがＯＳＤで「ユーザ登録」機能を選択する。
（イ）ユーザが新規ユーザの名称を入力する。
（ウ）ユーザが新規ユーザの指紋データを入力する。
（エ）ユーザが新規ユーザのデフォルトルールを決める。具体的には各既存ユーザ（ゲストを含む）に対して、アクセス権を設定する。
（オ）前記ＣＰＵ２２により、デフォルトルールテーブルとアクセスルールテーブルに項目が追加される。
上記の手順（オ）では、デフォルトルールテーブルに下記（ａ）と（ｂ）の項目が追加される。
（ａ）上記（エ）でユーザが設定したデフォルトルールが、新規ユーザのデフォルトルールとして、テーブルに追加される。
（ｂ）既存ユーザ（ゲストを含む）のデフォルトルールに、新規ユーザに対するアクセス権の項目が追加される。内容は各ユーザがゲストに与えているアクセス権がそのまま用いられる。
また、アクセスルールテーブルには、各コンテンツのアクセスルールに、新規ユーザに対するアクセス権の項目が追加される。その内容は、各コンテンツのオーナーがゲストに与えているアクセス権がそのまま用いられる。
【００２０】
図６は、前記図２に示したデフォルトルールテーブル、及び、前記図３に示したアクセスルールテーブルの状態に、ユーザＤを登録した後の（ａ）デフォルトルールテーブル及び（ｂ）アクセスルールテーブルの例を示す図である。
前述のように、（ａ）デフォルトルールテーブルには、新規ユーザＤのデフォルトルールとして、新規ユーザが設定したデフォルトルール（ユーザＡとゲストに対して「１」、ユーザＢとＣに対して「２」）が設定されている。また、他のユーザＡ，Ｂ，Ｃ及びゲストの新規ユーザＤに対するデフォルトルールとして、それぞれのユーザがゲストに対して与えているアクセス権と同一のアクセス権が付与されている。
さらに、（ｂ）アクセスルールテーブルには、新規ユーザＤに対するアクセス権が付加されている。
【００２１】
次に、ユーザが削除されたときに実行される処理について説明する。
ユーザの削除は下記の手順で行われる。
（ア）ユーザが削除したいユーザでログインする。
（イ）ユーザがＯＳＤで「ユーザ削除」機能を選択する。
（ウ）削除されるユーザのコンテンツを、どのユーザに譲るかを選択する。ただし、削除されるユーザのコンテンツが存在しない場合は、この選択は行わない。
（エ）前記ＣＰＵ２２により、デフォルトルールテーブルとアクセスルールテーブルが更新される。すなわち、ユーザ削除が行われると、削除されたユーザの項目がデフォルトルールテーブルから削除される。また、アクセスルールテーブルは、削除されたユーザのコンテンツのオーナーが変更され、そのコンテンツのアクセスルールが新オーナーのデフォルトルールに変更される。また、削除されたユーザの項目がアクセスルールテーブルから削除される。
【００２２】
図７は、前記図２に示したデフォルトルールテーブル、及び、前記図３に示したアクセスルールテーブルの状態からユーザＣを削除し、その所有するコンテンツをユーザＢに譲った場合の（ａ）デフォルトルールテーブル及び（ｂ）アクセスルールテーブルの例を示す図である。
この図に示すように、ユーザを削除すると、（ａ）デフォルトルールテーブルからそのユーザの項目が削除される。また、（ｂ）のアクセスルールテーブルにおいては、削除されたユーザのコンテンツのオーナーが所有権を譲り受けたユーザＢに変更され、アクセスルールも変更されていることが分かる。
【００２３】
なお、上述した実施の形態においては、個人認証の方法として指紋認証を採用した例について説明したが、これに限られることはなく、個人ＩＤなどをリモコンから入力することにより個人認証をするようにしてもよい。あるいは、各ユーザがそれぞれに専用のリモコンを用いるようにして（ユーザとリモコンとを１対１に対応付けることにより）、個人認証を行うようにしてもよい。
また、上記においては、制御部がリモコン１０である実施の形態について説明したが、制御部はリモートコントロール装置に限られることはない。例えば、記録再生装置本体（ＡＶサーバ）２０にユーザ識別機能を有する制御部を内蔵し、ＡＶサーバ２０のフロントパネルに指紋認証部を設けるようにしてもよい。
さらに、上記においては、ＯＳＤ機能によりテレビ画面やプロジェクタに各種設定画面を表示させるようにしたが、ＡＶサーバ２０に表示部を設けて、該表示部に表示させるようにしてもよい。
【図面の簡単な説明】
【００２４】
【図１】本発明の記録再生装置の一実施の形態の構成を示すブロック図であり、（ａ）はリモコンの要部構成、（ｂ）は記録再生装置本体の要部構成を示す図である。
【図２】デフォルトルールテーブルの一例を示す図である。
【図３】アクセスルールテーブルの一例を示す図である。
【図４】本発明の記録再装置の処理シーケンスの一例を示す図である。
【図５】デフォルトルール又はアクセスルールの変更操作について説明するための図である。
【図６】新規ユーザを登録した後の（ａ）デフォルトルールテーブル及び（ｂ）アクセスルールテーブルの例を示す図である。
【図７】ユーザを削除した後の（ａ）デフォルトルールテーブル及び（ｂ）アクセスルールテーブルの例を示す図である。
【符号の説明】
【００２５】
１０：リモコン、１１：操作ボタン、１２：指紋認証部、１３：ＣＰＵ、１４：赤外線発光部、２０：ＡＶサーバ、２１：赤外線受光部、２２：ＣＰＵ、２３：ＡＶ出力部、２４：ユーザ情報データベース、２５：コンテンツデータベース、２６：コンテンツ付属情報データベース
【図１】
2005222112.tif 000003
【図２】
2005222112.tif 000004
【図３】
2005222112.tif 000005
【図４】
2005222112.tif 000006
【図５】
2005222112.tif 000007
【図６】
2005222112.tif 000008
【図７】
2005222112.tif 000009